【手続補正書】
【提出日】平成26年9月17日(2014.9.17)
【手続補正１】
【補正対象書類名】特許請求の範囲
【補正対象項目名】全文
【補正方法】変更
【補正の内容】
【特許請求の範囲】
【請求項１】
発電部からの発電情報を取得する取得部と、
前記発電情報に応じて、行動特性を特定する特定部と
を備える特定装置。
【請求項２】
発電原理が異なる発電部を複数備える請求項１に記載の特定装置。
【請求項３】
前記行動特性を、仮想のオブジェクトに反映させる請求項１または２に記載の特定装置。
【請求項４】
前記行動特性に応じて、前記オブジェクトを生成する、または、前記オブジェクトの属性を変更する請求項３に記載の特定装置。
【請求項５】
前記行動特性に応じて、外観を変更する請求項１乃至４のいずれか１項に記載の特定装置。
【請求項６】
通信を行う通信部を備える請求項１乃至５のいずれか１項に記載の特定装置。
【請求項７】
前記通信部によって、前記行動特性を外部に送信する請求項６に記載の特定装置。
【請求項８】
前記通信部によって、前記発電情報を外部から取得する請求項６または７に記載の特定装置。
【請求項９】
前記通信部によって、他のユーザの行動特性を外部から取得する請求項６乃至８のいずれか１項に記載の特定装置。
【請求項１０】
記憶部に記憶された前記行動特性を、前記取得した前記他のユーザの行動特性に書き換える書換部を備える請求項９に記載の特定装置。
【請求項１１】
前記取得した他のユーザの行動特性が、記憶部に記憶されている行動特性と一致または近似していることを報知する報知部を備える請求項９に記載の特定装置。
【請求項１２】
発電部からの発電情報を取得する取得部と、
前記発電情報を、仮想のオブジェクトの属性に反映させる属性処理部と
を備える制御装置。
【請求項１３】
発電部からの発電情報を取得し、
前記発電情報に応じて、行動特性を特定する
特定装置における特定方法。
【請求項１４】
発電部からの発電情報を取得し、
前記発電情報に応じて、行動特性を特定する
特定方法をコンピュータに実行させるプログラム。
【請求項１５】
請求項１乃至１１のいずれか１項に記載の特定装置を複数備え
前記複数の特定装置のそれぞれから発電情報を取得し、
前記発電情報に応じて、グループ単位の行動特性を特定する
特定システム。
【請求項１６】
前記グループ単位の行動特性を、前記グループ単位の仮想のオブジェクトに反映させる請求項１５に記載の特定システム。
【手続補正２】
【補正対象書類名】明細書
【補正対象項目名】０００５
【補正方法】変更
【補正の内容】
【０００５】
したがって、本開示の目的の一つは、電池やセンサを使用することなく、例えば、仮想のオブジェクトに反映させるための情報を得ることができる特定装置、制御装置、特定方法、プログラムおよび特定システムを提供することにある。
【手続補正３】
【補正対象書類名】明細書
【補正対象項目名】００２８
【補正方法】変更
【補正の内容】
【００２８】
太陽光発電部１１ｂが動作することでＤＣ電圧が生成される。生成されたＤＣ電圧がパワーコントロール部２０に供給される。ＤＣ電圧が発電量計測部２４に供給される。発電量計測部２４は、ＲＴＣ２７から供給される時間情報を参照して、供給されたＤＣ電圧と電流量とから、単位時間当たりの電力および発電量を計測する。計測された単位時間当たりの電力および発電量が、発電情報の一例として、発電情報管理部２６に供給される。発電情報管理部２６は、供給された太陽光発電部１１ｂの発電情報を、信号ラインＬ１を介してＭＣＵ１２に供給する。なお、温度差発電部１１ｃおよび電波発電部１１ｄの発電情報も同様にして計測され、計測された発電情報が発電情報管理部２６を介してＭＣＵ１２に供給される。
【手続補正４】
【補正対象書類名】明細書
【補正対象項目名】００７３
【補正方法】変更
【補正の内容】
【００７３】
ステップＳ３２およびステップＳ３３がなされることで、明るい場所にいた時間が長いほど聖属性の傾向が強くなり、暗い場所にいる時間が長いほど闇属性の傾向が強くなる。ユーザの周囲環境により、キャラクタを特徴付けることが可能となる。
【手続補正５】
【補正対象書類名】明細書
【補正対象項目名】００８３
【補正方法】変更
【補正の内容】
【００８３】
具体的には、通信モジュール３４は、発電デバイス２ｂと他のユーザが所有する発電デバイス２ｂ’がすれ違うと、すれ違い通信を行う。通信は、様々な通信規格（例えば、BluetoothやZigbeeなど）に対応することができる。以下、通信モジュール３４が行うすれ違い通信の概要について説明する。
【手続補正６】
【補正対象書類名】明細書
【補正対象項目名】００８８
【補正方法】変更
【補正の内容】
【００８８】
ステップＳ６３では、通信モジュール３４によるすれ違い通信がなされる。すなわち、通信モジュール３４により、発電デバイス２ｂから所定の範囲内に他の発電デバイス２ｂ’が存在するか否かが判断される。なお図示は省略しているが、所定範囲内に、他の発電デバイス２ｂ’が存在しない場合は、処理がステップＳ６５に進み、発電デバイス２ｂがスリープ状態になる。
【手続補正７】
【補正対象書類名】明細書
【補正対象項目名】００９３
【補正方法】変更
【補正の内容】
【００９３】
ステップＳ７０では、発電情報が解析され、行動特性が特定される。ここで、ステップＳ６９で受信する発電情報は、他のユーザが保有する発電デバイス２ｂ’の発電情報である。つまり、ステップＳ７０における処理では、発電デバイス２ｂ’を保有する他のユーザの行動特性が特定される。そして、処理がステップＳ７１に進む。ステップＳ７１では、ステップＳ７０で特定された他のユーザの行動特性がキャラクタの属性に反映される。例えば、他のユーザの行動特性に応じたキャラクタが生成される。そして、処理がステップＳ７２に進む。ステップＳ７２では、ステップＳ７１で生成されたキャラクタの表示データがホスト装置３から発電デバイス２ｂに対して送信される。送信されたキャラクタの表示データが通信モジュール３４によって受信され、受信されたキャラクタの表示データがＭＣＵ１２に供給される。
【手続補正８】
【補正対象書類名】明細書
【補正対象項目名】０１０７
【補正方法】変更
【補正の内容】
【０１０７】
ＭＣＵ１２は、通信モジュール３４から供給された行動特性と、メモリ１３に記憶されている行動特性と比較する。ＭＣＵ１２は、例えば、行動特性に関するデータの値を差分を算出し、差分の結果が閾値以下であれば行動特性が似ていると判別する。行動特性が似ていると判別したときは、発電デバイス２ｃ’のユーザを発電デバイス２ｃのユーザの仲間とみなす。１または複数の発電デバイス２ｃ’の行動特性と、ユーザの行動特性が比較され、仲間がいない場合は、処理がステップＳ８９に進み、発電デバイス２ｃがスリープ状態に設定される。
【手続補正９】
【補正対象書類名】明細書
【補正対象項目名】０１２２
【補正方法】変更
【補正の内容】
【０１２２】
一方、発電デバイス２ｄは、発電デバイス２ｅに対して太陽光発電部の発電情報を要求する。要求に応じて、発電デバイス２ｅは発電デバイス２ｄに対して、太陽光発電部の発電情報を送信する。発電デバイス２ｅは、ユーザｂの行動特性を特定する際に、発電デバイス２ｄから送信された太陽光発電部の発電情報を使用できる。
【手続補正１０】
【補正対象書類名】明細書
【補正対象項目名】０１３５
【補正方法】変更
【補正の内容】
【０１３５】
本開示は、以下の構成をとることもできる。
（１）
発電部からの発電情報を取得する取得部と、
前記発電情報に応じて、行動特性を特定する特定部と
を備える特定装置。
（２）
発電原理が異なる発電部を複数備える（１）に記載の特定装置。
（３）
前記行動特性を、仮想のオブジェクトに反映させる（１）または（２）に記載の特定装置。
（４）
前記行動特性に応じて、前記オブジェクトを生成する、または、前記オブジェクトの属性を変更する（３）に記載の特定装置。
（５）
前記行動特性に応じて、外観を変更する（１）乃至（４）のいずれか１に記載の特定装置。
（６）
通信を行う通信部を備える（１）乃至（５）のいずれか１に記載の特定装置。
（７）
前記通信部によって、前記行動特性を外部に送信する（６）に記載の特定装置。
（８）
前記通信部によって、前記発電情報を外部から取得する（６）または（７）に記載の特定装置。
（９）
前記通信部によって、他のユーザの行動特性を外部から取得する（６）乃至（８）のいずれか１に記載の特定装置。
（１０）
記憶部に記憶された前記行動特性を、前記取得した前記他のユーザの行動特性に書き換える書換部を備える（９）に記載の特定装置。
（１１）
前記取得した他のユーザの行動特性が、記憶部に記憶されている行動特性と一致または近似していることを報知する報知部を備える（９）に記載の特定装置。
（１２）
発電部からの発電情報を取得する取得部と、
前記発電情報を、仮想のオブジェクトの属性に反映させる属性処理部と
を備える制御装置。
（１３）
発電部からの発電情報を取得し、
前記発電情報に応じて、行動特性を特定する
特定装置における特定方法。
（１４）
発電部からの発電情報を取得し、
前記発電情報に応じて、行動特性を特定する
特定方法をコンピュータに実行させるプログラム。
（１５）
（１）乃至（１１）のいずれか１に記載の特定装置を複数備え
前記複数の特定装置のそれぞれから発電情報を取得し、
前記発電情報に応じて、グループ単位の行動特性を特定する
特定システム。
（１６）
前記グループ単位の行動特性を、前記グループ単位の仮想のオブジェクトに反映させる（１５）に記載の特定システム。